(57)【特許請求の範囲】
【請求項１】
多孔質または繊維質の材料の物体表面上に、液状化可能な熱可塑性プラスチックと取付けツール（１）の助けによって、識別担体を取付ける方法であって、取付けフィルム（１２、１２’）が熱可塑性プラスチックを含み、取付けられるべき前記識別担体は取付けフィルム（１２、１２’）から分離されているかまたは取付けフィルム内に一体化されており、取付けツール（１）は先端形状（２）を有し、これは前記識別担体または取付けフィルムに適合する態様で線状に延在しかつ熱可塑性プラスチックの局所的液状化に適したエネルギをその形状に供給するように設計されており、前記識別担体が取付けフィルム内に一体化されている場合には取付けフィルムが前記物体表面上に配置され、前記識別担体が取付けフィルムから分離されている場合には分離した前記識別担体および取付けフィルムが前記物体表面上に配置され、前記物体表面は硬質の物体表面であり、ツール（１）の形状（２）が取付けフィルム上に配置されて、前記物体表面に対して押圧され同時にエネルギに晒され、これは前記物体表面内に取付けフィルムを固着するために熱可塑性プラスチックの十分な量が形状（２）によって液状化されてその物体表面の材料内に浸入するまで維持される方法。
【請求項２】
前記形状（２）は前記識別担体を取り囲む形状を含んでいる、請求項１に記載の方法。
【請求項３】
前記形状（２）はツールベース（５）の先端表面（４）を超えて先端方向へ突出しており、または前記ツールは管状であって前記形状はその管状ツールの先端面側（２）を形成している、請求項１または２に記載の方法。
【請求項４】
前記エネルギは機械的振動エネルギである、請求項１から３のいずれかに記載の方法。
【請求項５】
前記取付けフィルム（１２、１２’）および適応し得る場合に前記識別担体がツール（１）の形状（２）によってその形状（２）に沿って分離される、請求項１から４のいずれかに記載の方法。
【請求項６】
取付けられるべき前記識別担体は取付けフィルム（１２、１２’）から分離されており、取付けフィルム（１２）は前記識別担体の上方に配置されるか、または取付けフィルム（１２）が上方に配置され、かつさらなる取付けフィルム（１２’）が前記識別担体の下方に配置される、請求項１から５のいずれかに記載の方法。
【請求項７】
前記識別担体は取付けフィルムに一体化される、請求項１から６のいずれかに記載の方法。
【請求項８】
取付けフィルムおよび/または複数のフィルムテープ形状の複数の個別の前記識別担体が、一連の複数の取付けステップにおいて、複数の物体（１１）上に取付けられて打抜かれる、請求項１から７のいずれかに記載の方法。
【請求項９】
前記材料は、木材または木材状の材料である、請求項１から８のいずれかに記載の方法。
【請求項１０】
前記識別担体は、ＲＦＩＤチップである、請求項１から９のいずれかに記載の方法。
【請求項１１】
前記識別担体は、プリントされた光学的に読取可能なコードである、請求項１から９のいずれかに記載の方法。
【請求項１２】
前記識別担体は、前記物体表面に取付けられた取付けフィルムによって形成された密封容器内に配置される、請求項１から１１のいずれかに記載の方法。
【請求項１３】
ロール上に前記取付けフィルムを設け、前記取付けフィルムを配置するステップは、処理位置（３２）に前記取付けフィルムの第１の部分を配置するステップを含み、
前記先端形状を押圧してエネルギーを与えた後、前記処理位置上に前記取付けフィルムの第２の部分を配置するように前記取付けフィルムを送るステップをさらに備える、請求項１から１２のいずれかに記載の方法。
【請求項１４】
請求項１から１３のいずれかに記載の方法を実施するための取付けツールであって、先端ツール領域を形成しかつ線条の態様で中央領域を規定する形状（２）を含む、取付けツール。
【請求項１５】
前記形状（２）は前記中央領域を取り囲む、請求項１４に記載の取付けツール。
【請求項１６】
前記形状（２）はツールベース（５）の先端表面（４）を超えて先端側へ突出しているか、または前記ツールは管状であって前記形状（２）が前記管状のツールの先端側の面を形成している、請求項１４または１５に記載の取付けツール。
【請求項１７】
前記形状（２）はその外側において切断刃（２０）または切断歯（２２）の列を含んでいる、請求項１４から１６のいずれかに記載の取付けツール。
【請求項１８】
前記切断刃（２０）または前記切断歯（２２）の内側に押圧表面（２１）が配置されており、前記切断刃（２０）または前記切断歯（２２）は前記押圧表面（２１）を超えて先端側へ突出している、請求項１７に記載の取付けツール。
【請求項１９】
請求項１４から１８のいずれかに記載の取付けツールを備えたキットであって、前記キットは前記取付けツール（１）の前記形状（２）に少なくとも部分的に適合する寸法を備えた一つまたは複数の取付けフィルムをさらに含む、キット。
【請求項２０】
エネルギ源とともに複数の取付けツール（２）を含み、これらのツールは前記エネルギ源に結合する目的のために等しく装備された後端部と先端部における異なる形状（２）とを含んでいる、請求項１９に記載のキット。
【発明の詳細な説明】
【技術分野】
【０００１】
本発明は多孔質または繊維質の材料の物体表面上に目的物を取付けるための方法と装置に関し、その目的物は基本的に平坦であって特には識別担体（例えば、ＲＦＩＤタグ、または光学的読取可能な識別マークを備えたタグ）として用意されており、目的物が取付けられる少なくとも物体表面は多孔質または繊維質の材料、特には木材、または木材状の性質を有していておそらく木材から製造された材料（例えば、木くず圧縮板、合板、厚紙板）からなる。
【背景技術】
【０００２】
例えば金属またはプラスチックの識別プレートレット（小板）を備えた木製パレットまたは木幹を提供することが知られており、識別プレートレットはアンテナと集積されたＲＦＩＤチップまたはプリントされたバーコードを含んでいる。そのような識別プレートレットは例えば釘、ねじ、またはクリップで木製表面に取付けられ、それらは取付けのために場合によって複数の開口を含み、またはプレートレット自体が木材に打込まれる複数の釘状小脚部を備えている。そのような識別プレートレットまたはそれらの取付け方法は、例えばフランス特許公報ＦＲ−２６１０７４９またはＦＲ−２８３２８４１において述べられている。木製の物体上に識別手段を取付けるさらなる方法が、フランス特許公報ＦＲ−２９２８３５０において述べられている。この方法では、物体内にキャビティ（空洞）が設けられており、識別担体はキャビティ内に配置され、そしてキャビティは液状化された熱可塑性プラスチックで埋められる。
【０００３】
識別の目的のために厚紙板のパッケージまたはパッケージ材料へチップを付与することが国際公開ＷＯ２００６/１１９２７９から知られており、これらのチップは、例えば、場合によっては圧力と熱で活性化され得る接着剤が与えられていてパッケージの強化にも役立つ接着テープ上に装着される。接着テープの付与のために、これはロールの助けによってパッケージまたはパッケージ材料上に押圧され、場合によってはさらに加熱される。このための前提条件は、チップが柔軟で耐熱性であることである（第６頁参照）。
【発明の概要】
【発明が解決しようとする課題】
【０００４】
そこで、本発明の目的は、多孔質または繊維質の材料、特には木材または木材状材料の物体上に基本的に平坦な目的物（特には識別担体）を取付けるために役立つさらなる方法とさらなる装置を提供することであり、本発明による方法は目的物特には識別手段が損傷のリスクに晒されることなく実施可能であるべきであり、本発明によって取付けられた目的物を備えた物体は特に何ら特別の予防措置なしに厳しい気象条件中でも取扱に適するべきである。さらに、本発明による方法は、特には物体表面の特殊な前処理を要することなく簡単な補助で実施が簡便であるべきであり、また例えば識別タグの形態で市場で一般的な識別担体に適用可能でもあるべきである。
【０００５】
この目的は、独立請求項において規定されているような方法と装置によって達成され得る。
【課題を解決するための手段】
【０００６】
本発明による方法は多孔質、繊維質、または他の適切に構造化された物体表面内への熱可塑性材料の固着に基づいており、その表面上に熱可塑性材料を押圧して熱可塑性材料を局所的に溶融させて特に物体表面に対して押圧し、液状化された材料が押圧圧力によって物体の多孔質または繊維質の表面内へ押圧され、それが再び凝固するときにそれが実質的な固着を形成し、場合によってはその表面への付加的な材料的固着を形成する。熱可塑性材料は、その液状化のために、好ましくは機械的振動（例えば、超音波）に晒される。そのような方法の原理は、例えば国際公開ＷＯ９６/０１３７７およびＷＯ９８/４２９８８に述べられている。しかし、熱可塑性材料の液状化に関しては、的を絞った様式（電気的、または電磁波特にはレーザ光の吸収）で押圧に使用される固着ツールを加熱することも可能であり、または渦電流の生成によってもよく、このためには熱可塑性材料は適切な充填剤が付与されるべきである。
【０００７】
本発明による方法では、取付けフィルムが付与され、この少なくとも縁領域は特には機械的振動（例えば超音波）によって液状化され得る熱可塑性プラスチックを含み、取付けフィルムは簡単な助けとの関係において一定の厚さを有し、それによって例えばロールから処理され得る。そして、取付けフィルムは、それ自体が取付けられるべき目的物（取付けフィルムに一体化された目的物）すなわち例えばそれ自体が識別担体であり得て、または識別手段としてプリントされたもしくは異なる態様で添付されたパーコードもしくは他の適切なマークを含み、あるいはプリントされたアンテナと（例えばフィルム表面上に配置され、または２つの積層されたフィルム部分間に包まれた）ＲＦＩＤとの組合せを備える。一方、取付けフィルムは中立でもあり得て、別個の目的物例えば別個の識別担体を取付けるために役立ち得る。
【０００８】
上述の取付けフィルムは、多孔質または繊維質の物体表面上に置かれる。そして、（例えば印刷または接着がされた）一つのフィルム面上に配置されたマーク（例えば識別手段）が物体表面に向けられ、または別個の目的物（例えば識別担体）が取付けフィルムと物体表面との間または２つの取付けフィルムの間に配置される。次に、取付けフィルムを押圧して液状化させるエネルギを供給するように設計された取付けツールの助けによって、取付けフィルムは物体表面に対して局所的に押圧されて少なくとも部分的に液状化され、その取付けツールは例えば振動ツール（例えば超音波装置の音極）である。そして、押圧と液状化は、取付けられるべき目的物の周りで少なくとも部分的に延在する線状領域に局所的に限定される。このために、取付けツールは、その先端部において、例えば閉じられた形状であって中央部分の周りで少なくとも部分的に線状に延在する形状を有しており、その形状と中央部分とは取付けフィルム上に圧力と振動が印加される間にその形状のみが取付けフィルムと接するような態様に設計されている。例えば閉じられた形状の形または形状によって輪郭付けられた中央領域の形は、取付けられるべき目的物の形または取付けフィルム上に配置されるマークに適合させられ、そのような形態においてツール形状は目的物またはマークの周りに位置決め可能であって、取付けフィルムはツール形状の外側端部の少なくとも複数の場所に有利には全ての場所に届くべきである。
【０００９】
したがって、例えば振動の形態である液状化エネルギの供給によって、ツール形状の領域内の取付けフィルムは、別個の目的物またはその取付けフィルム上に配置されたマークの周りで少なくとも部分的に物体表面に対して押圧され、それによって熱可塑性材料がその（縁）領域で少なくとも部分的に液状化されて物体表面内へ押圧され、一方で目的物または取付けフィルムのマークが配置された中央領域内の取付けフィルムは押圧圧力の影響と液状化エネルギの影響のいずれにも晒されずに変わらず維持されて特にこの方法によって損傷されない。
【００１０】
好ましくは、取付けツールは、（中央領域から最も遠い）最外要素として切断刃または列状に配置された切断歯を含むとともに、切断刃または切断歯列内の周縁であって押圧表面を有する押圧領域を含み、切断刃または切断歯はその押圧表面を超えて先端側へ突出していて特に取付けフィルムを分離しまたは少なくともミシン目を入れるように役立ち、一方で押圧表面は特に物体表面に取付けフィルムを固着するように役立つ。物体表面の材料に依存しかつその表面上への取付けフィルムの取付け要望に依存して、ただ一つの切断刃または複数の切断歯を有するツール形状が十分であり得て、特に切断刃または切断歯の内側の横腹は押圧表面として役立つ。切断刃または互いに適切に密に隣合って配置された切断歯を備えたツール形状は任意の形と寸法の取付けフィルムの処理を可能にし、取付け後に固着線の外側またはツール形状の外側のフィルム部分はこれを超える態様で一面側で物体表面に接着することがなく、そのようなフィルム部分は取付けの分離のための不所望の弱い部分であろう。また、切断刃または適切に配置された切断歯はロールからの外見上エンドレスのフィルムテープからの処理を可能にし、このためにロールからフィルムの個別片を分離するためのさらなる装置を備えることを必要としない。適切な場合には、分離方法を単純化するために、有利には予めミシン目付けられた形態でそのようなフィルムテープを取付け処理へ供給することができよう。切断刃を備えないツール形状もツールで予め形付けられたフィルム片を処理するために使用可能であり、そのツール形状は多かれ少なかれフィルム片に精密に適合される。
【００１１】
本発明による方法によって物体上に取付けられる識別手段は、取付けフィルム自体上もしくは中または別個の担体上もしくは中に配置され、少なくとも一方面側が取付けフィルムおよび物体表面の材料への固着によって取付けられるのみならず、その取付けが識別手段の周りに完全に延在する場合には外部の影響から保護され、なぜならばその固着は機械的取付けを表すのみならず物体表面と取付けフィルムとの間および場合によっては互いに上下に配置された２枚の取付けフィルムの間の密封を表すからである。
【００１２】
もちろん、本発明による方法は、多孔質または繊維質の材料の物体表面上への識別担体の取付けを可能にするのみならず、取付けフィルム自体である基本的に平坦な他の目的物または取付けフィルムによって物体表面上に取付けられる別個の他の目的物の同様な取付けをも可能にする。それらの他の目的物は、例えば、識別以外の機能を備えたタグ（例えば、価格タグ、光学的もしくは電子的データを備えた形式のタグ、または例えばＣＤのようなパッケージ説明書もしくはパケージ物）であり、それらの目的物は例えば木質チップまたは非被覆の厚紙板のパッケージの外面にも取付けられ得る。
【００１３】
同様に、本発明による方法に適した物体の表面は、例えばレンガ、発泡レンガ、または（例えばガラス、絶縁材料、融解フィルタなどの）セラミック発泡体からなる。
【００１４】
本発明による装置は特には取付けツールを含み、その先端側表面上に既述の形状を有し、ツールはその形状へ液状化エネルギを与えるためとエネルギ源への結合のために公知の方法と態様で装備されている。適切に適合された形状を備えた取付けツールは、取付けられるべき目的物の異なる形および異なる特性の物体表面に備えるべきである。ツールの後端部は、例えば公知の態様で振動源（例えば、適用可能な場合にはブースターを備えた超音波発生器）へ結合するように装備されており、ツールと結合手段とはツールの先端部すなわちツール形状へできるだけ小さなロスで振動を伝達するように装備されるべきである。
【００１５】
本発明による装置は、特にツールまたはその一部が固定された態様でエネルギ源に接続される場合には、そのエネルギ源（例えば振動源）を含み得る。さらに、その装置は、外見上連続的なフィルム材料を供給するための手段を含むことができ、また適切な場合には分離したフィルム材料を運び去る手段を含むことができる。
【００１６】
本発明による方法を実施するためのキットは、特には取付けツールと取付けフィルムを含み、取付けフィルムの寸法は取付けツールの寸法に適合されている。また、キットはエネルギ源（例えば振動源）および異なるツール形状の複数の取付けツールを含み得て、そのようなキットの全てのツールは等しく設計された後端部を有している。
【００１７】
基本的に全ての熱可塑性プラスチックフィルム特には例えばＡＢＳ、ＰＶＣまたはキシロコル（Ｘｙｒｏｃｏｌｌ）のフィルムが本発明による方法に適し得て、取付けフィルムは有利には約０．８ｍｍより薄くなく、特にそれが当該方法によって分離される場合に３から４ｍｍより厚くなく、取付けツールはその形状が少なくとも押圧されるべき取付けフィルムの厚さだけ中央領域を超えて突出するような態様で設計されるべきである。特には、柔軟で場合によっては幾分弾性的な取付けフィルムまたは２次元拡張方向に横断して熱的に予備成形されたフィルムが、取付けフィルムから分離された目的物の取付けに適し得る。
【００１８】
例えば木材または木材状材料のような多孔質または繊維質の材料の物体上への識別担体の取付けのための公知の取付け方法に比べて、本発明による方法の有利性は、結果としての取付けが特に取付けられた目的物の周りに完全に延在する場合に湿気および他の環境的影響に関して全周シールをも表す事実、および目的物に関して密封シールされた容器が２枚の取付けフィルムとそれらの間に配置された識別手段とで実現される結果となるという事実にある。さらなる有利性は、特に取付けフィルムが物体表面に固着されるのみならず分離もされる実施例において、その取付けが取付けられたフィルム片の最外端部に関係し、したがって取付けフィルムと物体表面との間で生じ得る弱い点が発生せず、このことは取付けの分離を単純化するであろうということにある。また、別個の取付けフィルムで取付けられた目的物が取付けフィルムに対して全体ではなくてまたは端部領域のみで接続されていわば２つの要素が積層方法で互いに接続されないことも、本発明による方法の有利性であり得る。
【００１９】
本発明による方法と装置は、以下の図面によってより詳細に述べられる。
【図面の簡単な説明】
【００２０】
【図１】本発明の方法を実施するための例示的なツールである。
【図２】図１のツールの助けによる別個の識別担体の取付けと２枚の取付けフィルムである。
【図３】図１のツールの助けによる別個の識別担体の取付けと１枚の取付けフィルムである。
【図４】図１のツールの助けによって取付けフィルムとしても作用する識別担体の取付けである。
【図５】ツール形状の例示的実施形態である。
【図６】ツール形状の例示的実施形態である。
【図７】ツール形状の例示的実施形態である。
【図８】図２による方法の連続的実施のための装置の概略図である。
【発明を実施するための形態】
【００２１】
図１は、本発明による方法の実施に適した取付けツール１の先端部を示している。ツール１は、（図１の上方に向けられた）先端領域として、中央領域３を囲んで周囲が閉じた形状２を含んでいる。形状２は例えばツールベース５の先端表面４上に構成されており、先端表面４は形状２内の中央領域を有するのみならず形状２の外側の周囲領域をも有し得て、形状２は少なくとも処理される取付けフィルムの厚さだけ先端ベース表面から突出していなければならない。しかし、２点鎖線で示されているように、ツールは管状でもあり得て、すなわち基本的にツールベース５なしでも設計され得る。
【００２２】
図１に示されているようにツール形状は中断しない態様で中央領域の周りに延在し得るが、規則的または不規則的に中断されてもよく、または中央領域の周りに部分的な他の態様で延在してもよい。
【００２３】
通常では、先端ベース表面４のみならずツール形状で規定される中央表面も平坦または平面であろう。しかし、これは本発明による方法の前提ではない。なぜならば、少なくともツール形状で規定される内側表面は非平坦な物体表面上への目的物の取付けのために物体表面の曲面に適合させられるべきだからである。
【００２４】
ツール１は例えば金属からなり、例えばステンレス鋼からなる。
図２は本発明による方法の例示的実施形態を図解しており、例えばアンテナとＲＦＩＤを備えて平坦なプレートレットの形態の識別担体１０である別個の目的物が物体１１上に取付けられる。左側の図は、識別担体１０とその取付けのために使用される２枚の取付けフィルム１２と１２’を示しており、識別担体１０は２枚の取付けフィルム１２と１２’の間の取付けのために配置され、２枚のフィルムは図示されているように好ましくはフィルムテープの部分であってロールから供給されるが、個別のフィルム片であってもよい。図２中の右側では、物体１１がその上に取付けられた識別担体１０を伴って示されており、識別担体１０の取付けに使用されたフィルム領域１２．２と１２．２’からフィルム残部１２．１と１２．１’が打抜かれている。２枚のフィルム片１２．２と１２．２’は物体表面中で識別担体１０の周り（固着ライン１３）で固着されて互いに接続され、それらは一緒に識別担体１０のための密封容器を形成している。
【００２５】
図２による方法で使用された２枚の取付けフィルム１２と１２’は同じもしくは異なる熱可塑性プラスチックを有しまたはこれらからなり得て、異なる熱可塑性プラスチックは互いに溶接され得るような態様で選択されるべきである。物体表面に固着される一領域すなわちツール形状が作用すべき領域内のみに熱可塑性プラスチックを有するフィルムが適用されてもよい。識別担体１０が個別の目的物として付与されないが同様に複数の識別担体のテープ状複合体として付与される場合に、図２に示された方法を改変することも可能であり、そのときには取付けフィルムからのみならずテープ状複合体からも複数の領域がツール形状によって打抜かれる（図８および対応する記述を参照）。
【００２６】
図２のような表示と同様に、図３と４は本発明による方法のさらなる実施形態を示しており、図３ではただ１枚の取付けフィルム１２が付与されて（個別の）識別担体１０が物体表面と取付けフィルム１２との間に配置され、図４では識別担体自体が取付けフィルム（１０/１２）に相当し、したがって別個の取付けフィルムは使用されない。図３による方法では有利には識別担体の表面マークが物体表面から離れる方向に向けられ、図４による方法では有利には物体表面に向かう方向に向けられる。
【００２７】
図２に関連して述べられた全ての方法的変形例および有利な設計は、適切な態様で順応させれば図３と４による方法にも適用され得る。
【００２８】
図２と３による方法は、組立てられた集積回路と組合せられてプリントされたマークまたはアンテナを備えたフィルムテープの処理に特に適しており、これらテープは多様なほとんどの応用に関して公知の態様で製造されているように非常に薄くて（例えば０．１から０．２ｍｍ）識別手段に適切な保護を与え得ず、また物体表面への満足な固着のたの十分な熱可塑性プラスチック材料を有し得えない。そして、これらの機能は、有利には０．８から４ｍｍの厚さの別個の取付けフィルムによって有利に想定され得る。
【００２９】
図５から７は本発明による方法に適する異なったツール形状２を断面で示しており、先端部は下に向けられており、いずれの場合にも形状２はその右側に配置された中央領域とその左側に配置された周囲領域とで示されている。
【００３０】
図５によるツール形状はツールベース５を超えて突出しており、その外側には切断刃２０を含み、その切断刃内でそれに直接接続する押圧表面２１を含み、この押圧表面は切断刃に接続する凹領域２１．１とこの凹領域に接続する凸領域２１．２を含む。切断刃２０は、有利には６０°未満で有利には２０°から４０°の切断角度を有し、押圧表面２１を超えて少なくとも０．５ｍｍだけ突出している。先端ベース表面４と切断刃２０との間の距離は、処理されるべきフィルムの厚さまたは処理されるべきフィルムの合計厚さより少なくとも０．５ｍｍだけ大きい。押圧表面２１の全幅は、例えば２ｍｍである。
【００３１】
図５によるツール形状で生成される取付けフィルムの固着は、押圧表面２１の領域内（特に押圧表面の凸領域内）で顕著であって切断刃２０の内側表面の領域内で顕著でなく、切断刃２０は物体表面内に肉眼で見える溝を残すことができ、取付けフィルムはこの領域できれいに分断される。
【００３２】
図６によるツール形状２は、図５によるツール形状２の場合のように、切断刃２０とこの切断刃２０内に配置された押圧表面２１を含み、この押圧表面は基本的に平坦である。
【００３３】
図７は切断刃の代わりに切断歯２２の列を含んでいて別個の押圧表面を含まないツール形状２を示しており、切断歯２２の傾斜側面が押圧表面として働く。切断歯２２間の距離に依存して、これらの歯は取付けフィルムを分断するための分離手段として切断刃と同様に働く。切断歯２２間のより大きな距離の場合に、これらの歯は取付けフィルムにミシン目を入れるように働くだけであるが、それに引続く力の作用によって取付けフィルムの完全な分断を生じ得る。いずれにしても、切断歯が押圧力の助けによって物体表面材料内へ押圧されるようにツール形状、物体表面、および押圧力が互いに適合させられれば、フィルムは切断歯２２の傾斜側面の領域で物体表面内に固着される。したがって、緩い傾斜の側面の領域に比べて急な傾斜の側面の領域において弱い固着が予想され、もちろんこれは切断刃の傾斜側面にも当てはまる。適切な場合には、分離またはミシン目なしに対応する取付けフィルムを固着するだけのために、鈍い切断刃または切断歯も使用され得る。
【００３４】
図８は本発明による方法を実施するための装置を非常に模式的な態様で示しており、図２に示されたのと同様に、この方法においては、取付けフィルム１２と１２’の２枚のテープ、および別個の識別手段３１が上に配置されたフィルムテープ３０が、例えばロールから処理位置３２まで間欠的態様で供給される。同様に、例えばフィルムテープの供給方向を横切って物体１１が処理位置３２へ供給され、フィルムテープ１２、１２’および３０と物体１１とがツール１の交互運動に同期させられて、識別手段３１が物体１１上の取付けフィルム１２と１２’の２つの領域間に配置されて各サイクルでツール１によって取付けられる。識別手段３１が付与された物体１１と打抜かれたフィルムウエブ１２．１、１２．１’および３０．１は、処理位置３２から導き離される。
【実施例】
【００３５】
パレットブロックとして与えられた内実のトウヒ材（表側）または木くず圧縮板上に、１ｍｍ、１．２ｍｍまたは２×１．２ｍｍの厚さを有するＡＢＳ、ＰＶＣまたはキシクロコル（Ｘｙｃｒｏｃｏｌｌ）の取付けフィルムが図５に示されたようなツール形状によって取付けられて打抜かれた。ツールの周囲長は約３００ｍｍであり、ツールの全幅は約３ｍｍであった。Ｔｅｌｓｏｎｉｃ社の超音波装置（ＵＰＳ３０００型、周波数２０ｋＨｚ、パワー４ｋＷ、ブースター１：２、先端ツール端部の軸方向大きさ約６０μｍ）が取付けのために使用され、取付け処理は経路制御された。物体と取付けツールとの間でのフィルムの確実な配置のために、２００から３００Ｎ（ツール形状長さ１ｍｍ当たりに約１Ｎ）の予備荷重が印加された。そして、１３００から１８００Ｎの押圧力（ツール長さ１ｍｍあたりに約６Ｎ）に増大されて、同時に振動が開始された。その振動はツールの前進を前提に停止され、その前進は取付けフィルムの厚さより僅かだけ大きくてツールベースの先端表面を超えるツール形状の突出より確実に小さかった。ツールが物体から除去される前に、振動を終了させた後の短時間にわたって依然として押圧力が維持された。完全な取付け手続きが、１から５秒内で完了された。
【００３６】
予備荷重と押圧力はツールの形状長さと形状幅に適合されるべきのみならず、物体表面の硬さと取付けフィルムの厚さおよび溶融特性にも適合されるべきことが分かった。
【図１】
0005883442.tif 000002
【図２】
0005883442.tif 000003
【図３】
0005883442.tif 000004
【図４】
0005883442.tif 000005
【図５】
0005883442.tif 000006
【図６】
0005883442.tif 000007
【図７】
0005883442.tif 000008
【図８】
0005883442.tif 000009